(57)【特許請求の範囲】
【請求項１】
天井や壁等の取付け面に取り付けられる台座と、
該台座にパン方向に回転可能に取り付けられたカメラを含む撮影装置と、
前記撮影装置を覆って台座に回転可能に取り付けられ窓部を有すドーム型カバーとからなり、
前記ドーム型カバーは、前記窓部との対応位置に開口窓を有する目隠し用の内カバーと、該内カバーに被さる透明な外カバーとの二重構造によって構成されている監視カメラにおいて、
前記外カバーは開口端面に形成されたラチェット歯列を有し、前記台座に回転可能且つ軸芯に沿う方向に移動可能に取り付けられ、且つバネ片によって該台座から飛び出す方向に付勢され、
前記内カバーは外周面に形成されたラチェット爪を有し、前記台座に回転可能に取り付けられ、
前記外カバーを前記内カバー側に押すことによって内外の両カバーを係合させ、該両カバーが係合された状態で前記外カバーが回転することによって、前記内カバーが回転し前記開口窓を前記カメラのレンズ位置に合わすことができ、前記外カバーからの前記内カバー側への押しを解除することによって、前記ラチェット歯列と前記ラチェット爪との係合が外れることを特徴とする、監視カメラ。
【請求項２】
前記ドーム型カバーの取付け開口部には、内向きフランジ、該内向きフランジより外側にバネ片及びバネ片よりも外側に抜止め片が形成され、
前記外カバーの開口縁には、前記台座の内向きフランジと抜止め片の間に嵌まり込み前記バネ片に付勢されて前記抜止め片に当たって抜止めが図られる外向きフランジが形成され、
前記内カバーの開口縁には、前記台座の内向きフランジを挟んで該内カバーを台座に回転可能に保持する内掛かり爪と外掛かり爪を周方向に交互に設けられていることを特徴とする請求項１記載の監視カメラ。
【請求項３】
前記抜止め片は弾性変形可能であって、前記外カバーの外向きフランジの押込み側への侵入は許すが、侵入した後の該外向きフランジの脱出は防止し、
前記内カバーの外掛かり爪は弾性変形可能であって前記台座のドーム型カバー取付け開口部の内向きフランジに対して前記台座の内側から外側への押し込みは許すが、押込み後は前記内向きフランジに引っ掛かって脱出を防止し、前記台座の内向きフランジにはラチェット爪が通過可能な切欠が設けられている請求項２に記載の監視カメラ。
【発明の詳細な説明】
【技術分野】
【０００１】
本発明は、ドーム型カバーを具えた監視カメラの内、該ドーム型カバーが内カバーと外カバーの二重構造である監視カメラに関するものである。
【背景技術】
【０００２】
ドーム型カバーを具えた監視カメラは、ドーム型カバーによって、カメラを含む撮影装置を隠し、ドーム型カバーの一部に形成した窓部をカメラレンズの位置に合わせている。
ドーム型カバーの内、内カバーと外カバーの二重構造のカバーは、内カバーの一部に開口窓を有し、外カバーは全体が透明体に形成されている。
上記二重構造のドーム型カバーを具えた監視カメラを設置するには、まず撮影装置を具えた台座を天井等に固定する。次に、被写体の位置に応じてカメラの撮影方向を調整する。次に、カメラの撮影方向に内カバーの開口窓が位置するようにして内カバーと外カバーとを台座に取り付ける。
【発明の開示】
【発明が解決しようとする課題】
【０００３】
上記監視カメラの設置においては、カメラの撮影方向と内カバーの開口窓の位置合わせを目測で行っている。被写体の位置に応じて調整したカメラの撮影方向に対応すると思われる位置に、開口窓が位置するように内カバーの向きを調整し、外カバーと内カバーとを台座に取り付けるのである。
従って、外カバー及び内カバーを台座に取り付けた後に、カメラの撮影方向と内カバーの開口窓の位置が合わないことがある。その場合には、外カバーを外し、内カバーの向きを再調整する必要がある。この作業を、開口窓の位置がカメラレンズの向きに合うまで繰り返さなければならず、監視カメラ設置作業の効率化を妨げている。ドーム型カバーの取付け構造によっては、内カバーを台座から外さなければ内カバーの向きを再調整できないものがある。この場合には、内カバーの向きの調整はさらに煩雑となる。
【０００４】
台座を、台座本体と、該台座本体に着脱可能装着される台座カバーとによって構成し、台座カバーの内側から外カバー及び内カバーを取り付けた監視カメラも提案されている(特許文献１)。この場合も、台座カバーを外さねば、内カバーの開口窓をカメラレンズの位置に合わすことは出来ない。
【０００５】
本発明は、所定の位置に取り付けられカメラレンズを所望の方向に向けた監視カメラに対して、内カバーと外カバーを台座に取り付けたまま、外カバーを手動操作することによって、内カバーを回転させて内カバーの開口窓をカメラレンズの位置に合わせることを可能にし、以て、内カバーの開口窓の位置合わせてを簡単且つ能率的に行うことのできる監視カメラを提供するものである。
【課題を解決するための手段】
【０００６】
請求項１は、天井や壁等の取付け面に取り付けられる台座(１)と、該台座(１)にパン方向に回転可能に取り付けられたカメラ(71)を含む撮影装置(７)と、撮影装置(７)を覆って台座(１)に回転可能に取り付けられ窓部(30)を有すドーム型カバー(３)とからなり、ドーム型カバー(３)は、窓部(30)との対応位置に開口窓(50)を有する目隠し用の内カバー(５)と、該内カバー(５)に被さる透明な外カバー(４)との二重構造によって構成されている監視カメラにおいて、
外カバー(４)と内カバー(５)は、外カバー(４)を内カバー(５)側に押す等の予め決められた手動係合動作を行うことによって、内外の両カバー(５)(４)を係合させることができる係合部(６)を有し、両カバー(５)(４)を係合させた状態で外カバー(４)を回すことによって、内カバー(５)を一緒に回して内カバー(５)の開口窓(50)をカメラ(71)のレンズ位置に合わすことができる。
【０００７】
請求項２は請求項１の監視カメラにおいて、係合部(６)は、ワンウェイクラッチ機構を有し、外カバー(４)の一方向の回転に対してのみ、内カバー(５)を外カバー(４)と一体的に回転させることができる。
【０００８】
請求項３は請求項１又は２の監視カメラにおいて、係合部(６)は、外カバー(４)の開口部にラチェット歯列(61)を設け、内カバー(４)には、該ラチェット歯列(61)に引っ掛かり可能なラチッット爪(63)を設けて構成され、外カバー(４)を内カバー(５)側に押すことによってラチェット歯列(61)とラチェット爪(63)を係合させることができる。
【０００９】
請求項４は請求項１乃至３の何れかに記載の監視カメラにおいて、係合部(６)は、ワンウェイクラッチ機構を有し、外カバー(４)を台座(１)側に押すと係合部(６)が係合し、その状態で外カバー(４)を反時計方向に回転させると内カバー(５)を一緒に回転させることができる。
【００１０】
請求項５は請求項１乃至４の何れかに記載の監視カメラにおいて、内カバー(５)は台座(１)に回転可能に取り付けられ、外カバー(４)は台座(１)に回転可能且つ外カバー(４)の軸芯に沿う方向に移動可能に取り付けられ、外カバー(４)はバネ片(25)によって台座(１)から飛び出す方向に付勢され、
係合部(６)は、外カバー(４)の開口端面に形成したラチェット歯列(61)と、内カバー(５)の外周面に成形したラチッット爪(63)とによって構成され、
外カバー(４)をバネ片(25)に抗して押すと、ラチェット歯列(61)と、ラチッット爪(63)が係合し、押しを解除するとラチェット歯列(61)と、ラチェット爪(63)の係合が外れる。      
【００１１】
請求項６は、請求項１乃至５の何れかに記載の監視カメラにおいて、台座(１)の取付け開口部(２)には、内向きフランジ(21)、該内向きフランジ(21)より外側にバネ片(25)、バネ片(25)よりも外側に抜止め片(23)が形成され、
外カバー(４)の開口縁には、前記台座(１)の内向きフランジ(21)と抜止め片(23)の間に嵌まり込み前記バネ片(25)に付勢されて抜止め片(23)に当たって抜止めが図られる外向きフランジ(41)が形成され、
内カバー(５)の開口縁には、前記台座(１)の内向きフランジ(21)を挟んで内カバー(５)を台座(１)に回転可能に保持するための内掛り爪(51)と外掛かり爪(52)を設けており、
係合部(６)は、外カバー(４)の開口端面に形成したラチェット歯列(61)と、内カバー(５)の外周面に形成したラチッット爪(63)とによって構成される。
【００１２】
請求項７は、請求項６の監視カメラにおいて、台座(１)上の抜止め片(23)は弾性変形可能であって、外カバー(４)の外向きフランジ(41)の押込み側への侵入は許すが、侵入した後の該外向きフランジ(41)の脱出は阻止し、内カバー(５)の外掛り爪(52)は弾性変形可能であって前記台座(１)の取付け開口部(２)の内向きフランジ(21)に対して内側から外側への押し込みは許すが、押込み後は内向きフランジ(21)に引っ掛かって脱出は阻止し、台座(１)の内向きフランジ(21)にはラチッット爪(63)が通過可能な切欠(22)が設けられている。
【発明の効果】
【００１３】
請求項１の監視カメラは、外カバー(４)の内カバー(５)に対する手動係合動作を行なってから外カバー(４)を回転させることにより、内カバー(５)を一緒に回転させることができる。このため、台座(１)に内カバー(５)と外カバー(４)を取り付けた後に、内カバー(５)の開口窓(50)をカメラレンズとの対応位置に位置合わせができる。
内カバー(５)を台座(１)に取り付ける際に、内カバー(５)の開口窓(50)の位置を全く気にする必要はない。
このため、監視カメラの設置作業を簡単且つ能率的に行うことができる。
【００１４】
請求項２の監視カメラは、内カバー(５)と外カバー(４)にワンウェイクラッチ機構を付加しているから、外カバー(４)を決められた方向に回転させないと内カバー(５)を一緒に回すことができない。このため、悪戯や悪意もって内カバー(５)の開口窓(50)の位置が変えられてしまって、監視カメラが役割を果たす事が出来ない事態を回避てきる。
【００１５】
請求項３の監視カメラは、内カバー(５)と外カバー(４)の係合部(６)が、外カバー(４)の開口部に設けたラチェット歯列(61)と、内カバー(５)に設けたラチッット爪(63)からなるため、係合部(６)の構成が簡単となる。ラチェット歯列(61)もラチェット爪(63)も夫々外カバー(４)と内カバー(５)と一体成形できるため、部品点数の増加を抑えることができる。
【００１６】
請求項４の監視カメラは、外カバー(４)を内カバー(５)側に押しながら反時計方向に回す簡単な操作で内カバー(５)を一緒に回転させて、開口窓(50)の位置合わせができる。
人の習性として、物を回す場合、時計方向に回すことが多いが、外カバー(４)を時計方向に押し回しても、外カバー(４)が回転するだけで、内カバー(５)を一緒に回すことはできない。悪戯で内カバー(５)が回される可能性を小さくできる。
外カバー(４)を押さずに、時計方向或いは反時計方向に回しても、内カバー(５)が回らないのは勿論である。
【００１７】
請求項５の監視カメラの外カバー(４)は、バネ片(25)によって、そのラチェット歯列(61)がラチェット爪(63)から外れる方向に付勢されており、単に外カバー(４)を回転させるだけでは、内カバー(５)を一緒に回わすことはできない。そのため、悪戯で内カバー(５)が回される可能性を小さくできる。
【００１８】
請求項７の監視カメラは、台座(１)の外側から、外カバー(４)を、その抜止め片(23)を弾性変形させながら取付け開口部(２)に嵌め入れでき、一旦嵌め入れると、抜止め片(23)の弾性復帰によって容易には抜き外すことはできない。
内カバー(５)は、該内カバー(５)の外掛り爪(52)を台座(１)の内側から台座の内向きフランジ(21)に当てて弾性変形させながら外側へ突き出して、外掛り爪(52)を内向きフランジ(21)を乗り越えさせて取付け開口部(２)嵌め入れることができる。
外掛り爪(52)が内向きフランジ(21)乗り越えた状態で、内掛り爪(51)が内向きフランジ(21)に当たる。即ち、内掛り爪(51)と外掛り爪(52)で内向きフランジ(21)を挟むことになり、内カバー(５)のそれ以上の突き出し、及び引き抜きは阻止される。
上記の如く、外カバー(４)と内カバー(５)の台座(１)に対する組込みは、特別な工具を用いることなく、手で押し込ことによって簡単にできる。
一旦台座(１)に外カバー(４)と内カバー(５)を組み込むと、簡単には外すことが出来ないから、悪戯防止に極めて効果的である。
【発明を実施するための最良の形態】
【００１９】
図１は、本発明の監視カメラの一例を示す分解図である。
監視カメラは、台座(１)と、該台座(１)上に搭載された撮影装置(７)(図２参照)と、該撮影装置(７)に被さるドーム型カバー(３)とによって構成される。
ドーム型カバー(３)は、内カバー(５)と外カバー(４)の二重構造である。
図面(図１乃至図６)は、監視カメラを天井に下向きに取り付けた状態で描いており、以下の説明で「上」とは天井側、「下」とは地面側である。
監視カメラを縦壁面に取り付ける等、監視カメラを取り付ける面の傾きによって、「上」、「下」の表現は変わるのは当然である。
【００２０】
台座(１)は、台座本体(11)と、該台座本体(11)に容易には外れない様に脱着可能に取り付けられる台座カバー(12)とによって構成される。
台座カバー(12)にドーム型カバー(３)が取り付けられ、図２に示す如く、台座本体(11)に撮影装置(７)が取り付けられる。
【００２１】
撮影装置(７)の主要品であるカメラ(71)は、台座本体(11)上にブラケット(73)を介して取り付けられ、ブラケット(73)、即ち、カメラ(71)は台座(１)の中心線Ｌを中心に位置決め回転可能(パン方向に回転可能)である。カメラ(71)は、ブラケット(73)上の枢軸(74)を中心にしてブラケット(73)の回転平面と直交する面内でも回転可能(チルト方向に回転可能)である。
台座本体(11)の適所に配線基板(72)が取り付けられている。
【００２２】
台座カバー(12)は合成樹脂にて形成され、台座本体(11)側から下方へ徐々に縮径する逆錘状を呈し、下端中央に、ドーム型カバー(３)を取り付けるための円形の取付け開口部(２)を有している。取付け開口部(２)は台座カバー(12)の下縁縁から該台座カバー(12)内へ上向きに周壁(20)を延長して形成されている。
上記周壁(20)には、後記するドーム型カバー(３)の外カバー(４)と内カバー(５)の開口部を保持するための、内向きフランジ(21)及び抜止め片(23)が形成されている。
内向きフランジ(21)は、周壁(20)の上端縁を一周して形成され、等間隔に３箇所に切欠(22)が施されている。該切欠(22)は、後記する内カバー(５)を取付け開口部(２)に嵌め入れる際に、内カバー上のラチェット爪(63)の通過を許す役割を成す。
抜止め片(23)は内向きフランジ(21)より外側(下側)にて周壁(20)上に、周方向の３箇所に等間隔に設けられている。
抜止め片(23)は、周壁(20)に開設された下向きコ字状の切欠き(24)で囲まれた範囲であって、その上向き自由端に内側(取付け開口部(２)の中心側)へ膨らんだ膨らみ部(23a)を形成している。該膨らみ部(23a)は外カバー(４)の下方からの押し込みを許す方向に傾斜している。
【００２３】
上記取付け開口部(２)の内向きフランジ(21)上には、後記する外カバー(４)を外側(下側)に付勢するバネ片(25)が設けられている。
バネ片(25)は台座カバー(12)と一体成形され、基端が内向きフランジ(21)に連続し、横向き自由端の下面は円弧状に膨らんだ押え面(25a)を有している。該押え面(25a)は内向きフランジ(21)の下面よりも下側に位置している。
【００２４】
ドーム型カバー(３)の外カバー(４)は、合成樹脂にて形成された透明体である。
外カバー(４)は上面が開口した略半球状に形成され、開口縁を一周して突出長さの短い外向きフランジ(41)を有している。
外向きフランジ(41)の外径寸法は、該外向きフランジ(41)を前記台座カバー(12)の取付け開口部(２)に嵌め入れたとき、該外向きフランジ(41)が取付け開口部(２)上の抜止め片(23)を外側に撓ませて押し込み可能且つ、押し込んだ状態で取付け開口部(２)上の各バネ片(25)が外向きフランジ(41)の外周側に当たって外カバー(４)を下向きに付勢可能となる様に設計されている。
【００２５】
外向きフランジ(41)の上面を含む外カバー(４)の開口側端面に、全周に亘ってラチェット歯列(61)が形成されている。
ラチェット歯列(61)の各ラチェット歯(62)は、後記する内カバー(５)上のラチェット爪(63)が上方からラチェット歯(62)に当たった状態において、外カバー(４)を下側から時計方向に回転させたときに、ラチェット歯(62)とは係合せず、外カバー(４)を反時計方向に回転させたときには、ラチェット歯(62)がラチェット爪(63)に係合する様に形成されている。
【００２６】
ドーム型カバー(３)の内カバー(５)は、合成樹脂で形成された不透明体である。
内カバー(５)は上面が開口した略半球状に形成され、一箇所に球面頂部からチルト方向に延びる開口窓(50)が開設されている。内カバー(５)は、ドーム型カバー(３)の外部から可及的に撮影装置(７)を隠すものであって、開口窓(50)は、固定状態のカメラ(71)での撮影に必要にして十分な開口幅を有している。
【００２７】
内カバー(５)の上端開口縁には、周方向に等間隔に六ヶ所に下向きコ字状の切欠き(53)を開設されている。夫々コ字状切欠き(53)で囲まれた６つの部分は、上側自由端が外側へ僅か傾いて外掛り爪(52)(役割についてついては後記する)を形成している。
６つの外掛り爪(52)の内、等間隔に位置する３つの外掛り爪(52)の外面に、前記外カバー(４)のラチェット歯列(61)に係脱するラチェット爪(63)を設けている。
ラチェット歯列(61)とラチェット爪(63)は、内カバー(５)を外カバー(４)と一緒に回転させるための係合部(６)を構成する。
図５に示す如く、ラチェット爪(63)のラチェット歯列(61)側の面は、ラチェット歯(62)の時計方向回転に対しては、その回転を許す(ラチェット歯(62)を逃がす)方向に傾斜している。
【００２８】
内カバー(５)の隣り合う外掛り爪(52)(52)間の開口縁には外向きの内掛り爪(51)が形成されている。内掛り爪(51)は周方向に等間隔に６個存在し、前記台座カバー(12)の取付け開口部(２)の内向きフランジ(21)の上面に載ることができる。
【００２９】
内カバー(５)を台座カバー(12)の取付け開口部(２)に内側(上方から)から嵌めると、外掛り爪(52)が取付け開口部(２)上の内向きフランジ(21)に押されて内向きに弾性変形して外掛り爪(52)は内向きフランジ(21)を通過でき、内向きフランジ(21)を通過すると弾性復帰して、内カバー(５)を上方へ抜き外すことを阻止する。
尚、内カバー(５)を取付け開口部(２)に嵌める際、内カバー(63)上のラチェット爪(63)を、内向きフランジ(21)に開設した前記切欠(22)に位置合わせしておけば、内カバー(５)の嵌め込みにラチェット爪(63)が邪魔にはならない。
内カバー(５)の前記内掛り爪(51)は、上記内向きフランジ(21)の上面に被さって、該内掛り爪(51)と前記外掛り爪(52)とによって内向きフランジ(21)を挟む。これによって、内カバー(５)を台座カバー(12)に上下方向にガタつくことなくカバー取付け開口部(２)に回転可能に取り付けできる。
【００３０】
前記の如く、外カバー(４)を下方から押して台座カバー(12)の取付け開口部(２)に嵌め込んだ状態で、ラチェット歯列(61)に台座カバー(12)上のバネ片(25)が当たって、外カバー(４)は下向きに付勢され、抜止め片(23)に引っ掛かっている。この状態(図７参照)で、外カバー(４)のラチェット歯列(61)は、内カバー(５)のラチェット爪(63)に対して係合しない高さ位置にある。
図５に示す如く、外カバー(４)をバネ片(25)に抗して上向きに押し、即ち、内カバー(５)側に押すと、外カバー(４)のラチェット歯列(61)はラチェット爪(63)と係合する高さ位置に変位する。
【００３１】
然して、外カバー(４)を押し上げたまま反時計方向に回すと、ラチェット歯列(61)がラチェット爪(63)に噛み合ったまま回転し、即ち、内カバー(５)を外カバーと一緒に回転させることができる。
従って、台座(１)に内カバー(５)と外カバー(４)を取り付けた後に、外カバー(４)を手動操作して、内カバー(５)の開口窓(50)をカメラレンズとの対応位置に合わせることができる。
内カバー(５)を台座カバー(12)の開口部(２)に嵌め込むとき、内カバー(５)の開口窓(50)の位置を気にすることはない。
このため、内カバー(５)の開口窓(50)がカメラレンズとの対応位置に合う様に監視カメラを設置する作業を、極めて簡単且つ能率的に行うことができる。
尚、ラチェット歯列(61)には常時バネ片(25)が当たっているが、バネ片(25)のラチェット歯列(61)に対する当たり面は円弧状に湾曲してラチェット歯列(61)が滑り易くなっているから、バネ片(25)が外カバー(４)の反時計方向回転、或いは時計方向回転に邪魔になることはない。
【００３２】
上記の如く、外カバー(４)を、押し上げながら反時計方向に回すという予め決められた手順で操作を行わない限り、内カバー(５)を回すことができないから、悪戯で或いはカメラレンズを遮蔽するという悪意をもって外部から内カバー(５)を回すことが困難となる。      
【００３３】
又、台座カバー(12)へのドーム型カバー(３)の取り付けは、外カバー(４)を台座カバー(12)の取付け開口部(２)に外側から嵌め込み、内カバー(５)を台座カバー(12)の内側から取付け開口部(２)へ嵌め込むだけでよく、これら嵌め込み作業は道具を使うことなく、手で行うことができ、ドーム型カバー(３)の取り付けの作業能率を高めることができる。
【００３４】
上記実施例の説明は、本発明を説明するためのものであって、特許請求の範囲に記載の発明を限定し、或いは範囲を減縮する様に解すべきではない。又、本発明の各部構成は上記実施例に限らず、特許請求の範囲に記載の技術的範囲内で種々の変形が可能であることは勿論である。
【００３５】
例えば、外カバー(４)を回して緩めようと考える者もいる筈で、その場合、外カバー(４)を反時計方向に回すことが普通である。この様に考えると、外カバー(４)を押し上げながら時計方向に回転させたときに内カバー(５)も一緒に回転する様に構成することもできる。これは、外カバー(４)と内カバー(５)の係合部(６)を構成するラチェット歯列(61)のラチェット歯(62)の傾きと、ラチェット爪(63)の傾きを前記とは逆にすればよい。
【００３６】
本発明の実施において、外カバー(４)と内カバー(５)の係合部(６)は、ラチェット歯列(61)とラチェット歯(62)の組合せに限ることはない。外カバー(４)を内カバー(５)側に押す、引く或いは他の手動係合動作によって、外カバー(４)と内カバー(５)を係合でき、その状態で外カバー(４)を回転させたときのみ、内カバー(５)を一緒に回転させることのできるワンウェイクラッチ機構(機能)を具えておれば係合部(６)の構成は問わない。
【００３７】
実施例では、外カバー(４)を下向き(飛び出し方向)に付勢するバネ片(25)は、台座カバー(12)と一体に形成したが、バネ片(25)を内カバー(５)上、例えば外掛り爪(52)上に内カバー(５)と一体に形成することができる。或いはバネ片(25)を独立させて、外カバー(４)を飛び出し方向に付勢する様に、内カバー(５)と内カバー(５)の間に介装することもできる。
【図面の簡単な説明】
【００３８】
【図１】監視カメラの分解斜視図(見上げた状態)である。
【図２】台座本体上の撮影装置の斜視図である。
【図３】監視カメラの分解斜視図(見下ろした状態)である。
【図４】内カバーと外カバーの係合部の係合が外れている状態の説明図である。
【図５】内カバーと外カバーの係合部が係合している状態の説明図である。
【図６】内カバーの内掛り爪が台座カバーの内向きフランジに引っ掛かっている状態を示す説明図である。
【符号の説明】
【００３９】
(１)  台座
(12)  台座カバー
(２)  取付け開口部
(21)  内向きフランジ
(23)  内フィルム
(25)  バネ片
(３)  ドーム型カバー
(４)  外カバー
(41)  外向きフランジ
(５)  内カバー
(６)  係合部
(61)  ラチェット歯列
(63)  ラチェット爪
(７)  撮影装置
(71)  カメラ
【図１】
0004771827.tif 000002
【図２】
0004771827.tif 000003
【図３】
0004771827.tif 000004
【図４】
0004771827.tif 000005
【図５】
0004771827.tif 000006
【図６】
0004771827.tif 000007